(57)【要約】      （修正有）【課題】簡易な構成で、通気性と防水性とを両立することができる折板屋根用換気カバーを提供する。【解決手段】換気カバーは、勾配を有する折板屋根１に設けられた換気口１５を覆うように、折板屋根１に固定される。換気カバーは、折板屋根１の天面１１に沿って延び、天面１１との間隔Ｄ１，Ｄ２が水上側３ｂよりも水下側３ａの方が大きくなるように配置される上壁部３１を備える。また、換気カバーは、水下側において上壁部３１および側壁部に交差し、通気口３４０を有する第１の面戸部３４と、水上側において上壁部３１および側壁部に交差し、閉塞された第２の面戸部３５とをさらに備える。【選択図】図２
2015175221.tif 000002
【特許請求の範囲】
【請求項１】
勾配を有する折板屋根の換気構造であって、
前記折板屋根に設けられた換気口と、
前記換気口を覆うように前記折板屋根に固定される換気カバーとを備え、
前記換気カバーは、
前記折板屋根の天面に沿って延び、前記天面との間隔が水上側よりも水下側の方が大きくなるように配置された上壁部と、
前記上壁部に連結され、前記折板屋根の側面に沿って配置される側壁部と、
水下側において前記上壁部および前記側壁部に交差し、通気口を有する第１の面戸部と、
水上側において前記上壁部および前記側壁部に交差し、閉塞された第２の面戸部とを含む、折板屋根の換気構造。
【請求項２】
前記換気カバーの上壁部は、水平方向に延びている、請求項１に記載の折板屋根の換気構造。
【請求項３】
前記折板屋根の水下側および水上側にそれぞれ設けられ、前記折板屋根と前記換気カバーとを連結する連結部材をさらに備え、
前記連結部材は、前記換気カバーの上壁部を貫通する高さ調整ボルトを含む、請求項１または２に記載の折板屋根の換気構造。
【請求項４】
前記折板屋根は、前記天面上に設けられ、勾配方向に延びるハゼ部をさらに含み、
前記連結部材は、前記折板屋根のハゼ部に取り付けられ、その上部に前記高さ調整ボルトが固定される固定部材をさらに含む、請求項３に記載の折板屋根の換気構造。
【請求項５】
前記換気カバーの側壁部は、その下端側に、前記折板屋根の側面に向けて折り曲げられた折り曲げ部を有している、請求項３または４に記載の折板屋根の換気構造。
【請求項６】
前記換気カバーは、前記側壁部の下端縁に沿って、間隔を置いて配置された弾性部材をさらに含む、請求項１〜５のいずれかに記載の折板屋根の換気構造。
【請求項７】
勾配を有する折板屋根に設けられた換気口を覆うように、前記折板屋根に固定される換気カバーであって、
前記折板屋根の天面に沿って延び、前記天面との間隔が水上側よりも水下側の方が大きくなるように配置された上壁部と、
前記上壁部に連結され、前記折板屋根の側面に沿って配置された側壁部と、
水下側において前記上壁部および前記側壁部に交差し、通気口を有する第１の面戸部と、
水上側において前記上壁部および前記側壁部に交差し、閉塞された第２の面戸部とを備える、折板屋根用換気カバー。
【発明の詳細な説明】
【技術分野】
【０００１】
本発明は、折板屋根用換気カバー、および、折板屋根の換気構造に関し、特に、勾配を有する折板屋根に固定される換気カバー、および、これを備えた換気構造に関する。
【背景技術】
【０００２】
建物の屋根裏空間の換気は、一般的に、屋根の棟において行われる。一方で、折板屋根の場合、折板屋根自体に設けた換気口において、建物の屋根裏空間の換気が行われることもある。この場合、折板屋根の換気口を覆うように換気カバーが設置される。
【０００３】
たとえば実用新案登録第３１８４２４１号公報（特許文献１）および特開２０１０−３７８５４号公報（特許文献２）では、折板屋根の斜面または上面に複数の開口部（換気口）が設けられ、これらの開口部とは異なる位置にルーバーを有する長尺の換気カバーが折板屋根に固定されている。
【０００４】
また、特開２０１２−１３２２８０号公報（特許文献３）では、左右に傾斜する換気面を有し、その水上側および水下側に化粧面材が取り付けられた換気装置が、折板屋根に固定されている。換気面には、複数のルーバーが設けられ、耐雨性が備えられている。
【先行技術文献】
【特許文献】
【０００５】
【特許文献１】実用新案登録第３１８４２４１号公報
【特許文献２】特開２０１０−３７８５４号公報
【特許文献３】特開２０１２−１３２２８０号公報（特許第５３８２３６９号公報）
【発明の概要】
【発明が解決しようとする課題】
【０００６】
折板屋根を有する仮設のホテルなどにおいては、屋根の棟が廊下の上に位置するため、棟換気が行えない。このような場合、上述のように、折板屋根自体に部分的に換気口を設け、換気口を覆うように換気カバーが設置される。
【０００７】
従来の換気カバーでは、その側面部に、長手方向に沿って複数組のルーバーが設けられている。しかし、側面部には雨水が直接当たるため、単に通気口をルーバーとするだけでは、換気カバーの裏側空間への浸水が生じる恐れがある。
【０００８】
本発明は、上記のような課題を解決するためになされたものであって、その目的は、簡易な構成で通気性と防水性とを両立できる折板屋根用換気カバー、および、折板屋根の換気構造を提供することである。
【課題を解決するための手段】
【０００９】
この発明のある局面に従う折板屋根の換気構造は、勾配を有する折板屋根の換気構造であって、折板屋根に設けられた換気口と、換気口を覆うように折板屋根に固定される換気カバーとを備える。換気カバーは、上壁部と、側壁部と、第１および第２の面戸部とを含む。換気カバーの上壁部は、折板屋根の天面に沿って延び、天面との間隔が水上側よりも水下側の方が大きくなるように配置されている。側壁部は、上壁部に連結され、折板屋根の側面に沿って配置されている。第１の面戸部は、水下側において上壁部および側壁部に交差し、通気口を有する。第２の面戸部は、水上側において上壁部および側壁部に交差し、閉塞されている。
【００１０】
好ましくは、換気カバーの上壁部は、水平方向に延びている。
【００１１】
好ましくは、折板屋根の水下側および水上側にそれぞれ設けられ、折板屋根と換気カバーとを連結する連結部材をさらに備える。連結部材は、換気カバーの上壁部を貫通する高さ調整ボルトを含むことが望ましい。
【００１２】
折板屋根は、天面上に設けられ、勾配方向に延びるハゼ部をさらに含んでいてもよい。この場合、連結部材は、折板屋根のハゼ部に取り付けられ、その上部に高さ調整ボルトが固定される固定部材をさらに含むことが望ましい。
【００１３】
換気カバーの側壁部は、その下端側に、折板屋根の側面に向けて折り曲げられた折り曲げ部を有していてもよい。
【００１４】
好ましくは、換気カバーは、側壁部の下端縁に沿って、間隔を置いて配置された弾性部材をさらに含む。
【００１５】
この発明の他の局面に従う折板屋根用換気カバーは、勾配を有する折板屋根に設けられた換気口を覆うように、折板屋根に固定される換気カバーであって、上壁部と、側壁部と、第１および第２の面戸部とを備える。上壁部は、折板屋根の天面に沿って延び、天面との間隔が水上側よりも水下側の方が大きくなるように配置されている。側壁部は、上壁部に連結され、折板屋根の側面に沿って配置されている。第１の面戸部は、水下側において上壁部および側壁部に交差し、通気口を有する。第２の面戸部は、水上側において上壁部および側壁部に交差し、閉塞されている。
【発明の効果】
【００１６】
本発明によれば、簡易な構成で、通気性と防水性とを両立することができる。
【図面の簡単な説明】
【００１７】
【図１】本発明の実施の形態において、換気カバーが取り付けられた折板屋根を示す外観斜視図である。
【図２】本発明の実施の形態に係る折板屋根の換気構造を模式的に示す側面図である。
【図３】本発明の実施の形態に係る換気カバーの水下側を部分的に示す外観斜視図である。
【図４】本発明の実施の形態において、換気カバーが折板屋根に固定された状態を模式的に示す断面図である。
【図５】折板屋根と換気カバーとの固定に用いられる連結部材の他の例を示す図である。
【発明を実施するための形態】
【００１８】
本発明の実施の形態について図面を参照しながら詳細に説明する。なお、図中同一または相当部分には同一符号を付してその説明は繰返さない。
【００１９】
（概要について）
はじめに、図１および図２を参照して、勾配を有する折板屋根１の換気構造の概要について説明する。なお、図１に示す矢印Ａ１方向およびその反対方向が、折板屋根１の勾配方向を表わしている。特に、矢印Ａ１方向が水下側、その反対方向が水上側である。また、図２に示す矢印Ａ２方向は水平方向を表わしている。
【００２０】
折板屋根１は、勾配方向に延び、互いに間隔をあけて配置される複数の台形部１０と、それらを連結する底面部２０とを備えている。台形部１０には、少なくとも１つの換気口１５が設けられており、換気口１５を覆うように換気カバー３が設置されている。折板屋根１の台形部１０は、天面１１と、傾斜した側面１２，１３とを含む。台形部１０の天面１１には、勾配方向に延びるハゼ部１４が設けられている。本実施の形態では、各側面１２，１３に、間隔をあけて複数（たとえば２つ）の換気口１５が設けられている。なお、換気口１５は、一方の側面１２側にのみ設けられていてもよい。
【００２１】
換気カバー３は、上壁部３１と、一対の側壁部３２，３３と、第１の面戸部３４と、第２の面戸部３５とを含む。上壁部３１および一対の側壁部３２，３３は、換気カバー３の本体部３００を構成する。なお、図２には、換気カバー３のみを、その中央位置において長手方向に沿って切断した場合の構造が示されている。
【００２２】
上壁部３１は、折板屋根１の天面１１に沿って延び、天面１１とは間隔をあけて配置される。側壁部３２，３３は、上壁部３１に連結され、折板屋根１の側面１２，１３に沿ってそれぞれ配置されている。第１の面戸部３４は、水下側端部３ａに位置し、上壁部３１および側壁部３２，３３に交差している。第２の面戸部３５は、水上側端部３ｂに位置し、上壁部３１および側壁部３２，３３に交差している。第１の面戸部３４は、通気口３４０を有しているのに対し、第２の面戸部３５は、通気口を有さず閉塞されている。
【００２３】
このように、換気カバー３は、第１の面戸部３４にのみ通気口３４０を有しており、本体部３００には通気のための開口を有していない。つまり、本体部３００の全体が、風雨を遮蔽する遮蔽部材として機能している。そのため、折板屋根１の換気口１５の防水性を高めることができる。また、通気口３４０が設けられた第１の面戸部３４は、換気口１５が設けられた折板屋根１の側面１２，１３の向きとは異なる向きに配置されている。そのため、強風雨の際などに、通気口３４０から雨水が換気カバー３の裏側空間（以下「カバー裏空間」という）３０に入り込んだとしても、換気口１５が設けられた側面１２，１３に水が直接当たらないため、換気口１５の防水性を高めることができる。
【００２４】
ここで、本実施の形態では、換気カバー３の上壁部３１は、折板屋根１の天面１１との間隔が、水上側よりも水下側の方が大きくなるように配置されている。つまり、水下側端部３ａにおける上壁部３１と折板屋根１の天面１１との間隔Ｄ１は、水上側端部３ｂにおける上壁部３１と折板屋根１の天面１１との間隔Ｄ２よりも大きい。具体的には、上壁部３１は、折板屋根１の勾配角度に関わらず、水平方向（図２の矢印Ａ２方向）に延びていることが望ましい。
【００２５】
屋根裏空間の暖かい空気（熱気）が、折板屋根１の換気口１５からカバー裏空間３０内に上昇してきた場合、熱気はさらに上昇しようとする。そのため、もしも上壁部が折板屋根１の天面１１と平行に延びていると、この熱気は、水上側の第２の面戸部３５付近で滞留してしまう。しかし、本実施の形態では、上壁部３１が水平方向に延びているため、カバー裏空間３０に入り込んできた熱気は、第１の面戸部３４の通気口３４０を通って外部へ抜け易くなる。
【００２６】
ただし、上壁部３１の水下側の高さ自体が水上側よりも高い場合、通気性（排熱性能）は良くなるが、通気口３４０から雨水が吹き込む可能性も高まるため、望ましくない。これに対し、本実施の形態では、上壁部３１の水上側と水下側とのいずれもが同じ高さに位置するため、屋根裏空間（およびカバー裏空間３０）の通気性と防水性とを両立することができる。
【００２７】
次に、図３および図４をさらに参照して、換気カバー３の上記各部の構成例、および、換気カバー３の固定構造例について説明する。
【００２８】
（換気カバーの構成および固定例について）
換気カバー３の本体部３００は、折板屋根１の台形部１０と同様に、略台形状の断面を有している。換気カバー３の本体部３００としての上壁部３１および側壁部３２，３３は、たとえば鋼製の板状部材が折り曲げられることによって形成されている。
【００２９】
換気カバー３の上壁部３１には、後述の高さ調整ボルト４３用の貫通穴３１０が設けられている。貫通穴３１０は、たとえば、水下側および水上側にそれぞれ設けられる。より具体的には、水下側の貫通穴３１０は、第１の面戸部３４の近傍、かつ、第１の面戸部３４よりも水上側に設けられる。水上側の貫通穴３１０は、第２の面戸部３５の近傍、かつ、第２の面戸部３５よりも水下側に設けられる。
【００３０】
換気カバー３の側壁部３２，３３は、折板屋根１の側面１２，１３と略平行に延び、その下端側に、折板屋根１の側面１２，１３に向けて折り曲げられた折り曲げ部３２０，３３０を有している。折り曲げ部３２０，３３０は、折板屋根１の側面１２，１３に対し、略直交するように延びているため、換気カバー３の強度を高めることができる。
【００３１】
折り曲げ部３２０，３３０の端縁には、複数のゴムビート３６が間隔を置いて固定されていることが望ましい。折板屋根１の側面１２，１３は、ゴムビート３６と接する。この場合、換気カバー３の側壁部３２，３３とは非当接状態となる。そのため、ゴムビート３６間の隙間から、水分とともにカバー裏空間３０内のゴミを排出することができる。また、鋼材により形成された折板屋根１と換気カバー３とが非当接とされることで、経年による鋼材の腐食を防止することもできる。
【００３２】
なお、側壁部３２，３３は、折り曲げ部３２０，３３０を有していなくてもよい。この場合、折板屋根１の側面１２，１３に沿って傾斜した側壁部３２，３３の下端縁に沿って、ゴムビート３６が固定されてもよい。また、ここでは、ゴムビート３６を用いたが、遮水性を有する弾性部材であればこれに限定されない。
【００３３】
第１および第２の面戸部３４，３５は、上下方向に延びている。本実施の形態では、第１の面戸部３４の高さ寸法の方が、第２の面戸部３５の高さ寸法よりも大きい。第１および第２の面戸部３４，３５も、たとえば鋼製の板状部材により形成されている。第１および第２の面戸部３４，３５は、たとえば、カバー裏空間３０側に折り曲げられたそれらの本体当接部において、本体部３００に固定される。具体的には、面戸部３４，３５の本体当接部と側壁部３２，３３とが、ボルトなどの固定具により固定される。
【００３４】
第１の面戸部３４の通気口３４０は、上壁部３１と折板屋根１のハゼ部１４（の水平部）との間の位置に設けられている。通気口３４０は、たとえば、横方向に延びる複数のスリットを含む。スリットは、ルーバーであってもよい。換気カバー３の第１の面戸部３４は、本体部３００の水下側端縁よりも奥（水上側）に配置されている。そのため、通気口３４０に雨水が浸入するリスクを低減することができる。第２の面戸部３５も、本体部３００の水上側端縁よりも奥（水下側）に配置されていてもよい。
【００３５】
第１および第２の面戸部３４，３５の下端部は、折板屋根１の天面１１、側面１２，１３およびハゼ部１４に当接する。換気カバー３は、折板屋根１の上から被せるように取り付けられるため、これらの面戸部３４，３５によって、逆Ｌ字状のハゼ部１４の水平部と折板屋根１の天面１１との間に隙間を埋めることはできない。そのため、当該隙間には、たとえば乾式のシール材（図示せず）が設けられる。なお、第１および第２の面戸部３４，３５の下端部と折板屋根１との当接部分には、たとえば湿式のシール材が設けられてもよい。
【００３６】
換気カバー３は、上述のように、折板屋根１の勾配角度に関わらず、その上壁部３１が略水平となるように配置されるため、その長さＬ１は、たとえば５００〜７００ｍｍの範囲で定められる。そのため、折板屋根１の側面１２，１３に、７００ｍｍ以上の範囲で換気口１５が設けられているような場合には、折板屋根１の１つの台形部１０に、勾配方向に沿って複数の換気カバー３が並べられる。
【００３７】
このような形状の換気カバー３は、連結部材４によって、折板屋根１に固定されている。連結部材４は、換気カバー３のカバー裏空間３０内に設けられ、折板屋根１のハゼ部１４と換気カバー３の上壁部３１とを連結する。連結部材４は、水下側端部３ａおよび水上側端部３ｂそれぞれに設けられる。本実施の形態における連結部材４は、ハゼ用固定部材（以下「ハゼ金物」という）４１と、高さ調整ボルト４３とを含む。
【００３８】
ハゼ金物４１は、折板屋根１のハゼ部１４に嵌め込まれ、その垂直部４１２を貫通するネジ４２がハゼ部１４の立上り部に当接されることによって、ハゼ部１４に取り付けられる。ハゼ金物４１の構成は、公知の構成であってよい。
【００３９】
高さ調整ボルト４３は、ハゼ金物４１に固定され、その先端部が換気カバー３の上壁部３１を貫通する。本実施の形態では、高さ調整ボルト４３の頭部４３２が、溶接によって、ハゼ金物４１の上部４１１に固定されている。なお、高さ調整ボルト４３は、溶接以外の方法で、ハゼ金物４１に固定されてもよい。具体的には、ハゼ金物４１の上部４１１に、高さ調整ボルト４３の軸部４３１が挿通される貫通穴を有していてもよい。この場合、高さ調整ボルト４３の頭部４３２に代えて、図５に示されるように、ハゼ金物４１の上部４１１を上下に挟み込むように、ダブルナット４３３，４３４が配置される。
【００４０】
高さ調整ボルト４３の軸部４３１は、上壁部３１の貫通穴３１０を貫通している。軸部４３１には、上壁部３１を挟んで配置されるダブルナット４４，４５が係合されている。ダブルナット４４，４５の位置を調整することで、換気カバー３の水下側端部３ａおよび水上側端部３ｂの高さを微調整することができる。なお、図２に示されるように、水上側の高さ調整ボルト４３ｂの軸部４３１の方が、水下側の高さ調整ボルト４３ａの軸部４３１よりも短いことが望ましい。
【００４１】
上壁部３１とナット４４，４５との間には、座金（図示せず）が介在されていてもよい。また、貫通穴３１０からのカバー裏空間３０内への浸水を防止するために、図２および図３に示すように、上側のナット４５、および、これより上方に突出する軸部４３１の先端部に、ボルトキャップ４７が被せられていることが望ましい。
【００４２】
上述のように、本実施の形態の換気カバー３によれば、簡易な構成で、通気性と防水性とを両立することができる。また、連結部材４が高さ調整ボルト４３を含むため、上壁部３１が水平となるように換気カバー３の取付け角度を微調整することができる。また、高さ調整ボルト４３によって、換気カバー３の上壁部３１を支持することができる。
【００４３】
なお、本実施の形態では、折板屋根１のハゼ部１４を利用して換気カバー３を固定することとしたが、このような例に限定されない。つまり、連結部材４は、ハゼ金物４１を含まなくてもよい。たとえば、折板屋根１がハゼ部１４を含まないような場合には、高さ調整ボルト４３の頭部４３２が、直接、折板屋根１の天面１１に固定されてもよい。また、折板屋根１がハゼ部１４を含まない場合、折板屋根１の換気口１５は、天面１１に設けられていてもよい。
【００４４】
また、本実施の形態では、図１および図２に示されるように、換気カバー３の側壁部３２，３２は、平面視において台形形状であることとしたが、長方形状であってもよい。つまり、側壁部３２，３３の下端縁は、折板屋根１の換気口１５よりも下にさえ位置していれば、水平方向に延びていてもよい。
【００４５】
また、本実施の形態では、換気カバー３の本体部３００の断面形状が略台形形状であることとしたが、限定的ではない。たとえば、上壁部３１の幅が広い四角形状であってもよい。また、連結部材４が、上壁部３１を貫通する高さ調整ボルト４３を含まないような場合には、換気カバー３の本体部３００の断面は略三角形状であってもよい。つまり、換気カバー３の上壁部３１は、面状でなく線状に延びていていてもよい。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４７】
１  折板屋根、３  換気カバー、１０  台形部、１１  天面、１２，１３  側面、１４  ハゼ部、１５  換気口、２０  底面部、３０  カバー裏空間、３２，３３  側壁部、３４  第１の面戸部、３５  第２の面戸部、３６  ゴムビート、４  連結部材、４２  ネジ、４１  ハゼ金物、  ４３，４３ａ，４３ｂ、高さ調整ボルト、４４，４５，４３３，４３４  ナット、４７  ボルトキャップ、３１０  貫通穴、３２０，３３０  折り曲げ部、３４０  通気口、４３１  軸部、４３２  頭部。
【図１】
2015175221.tif 000003
【図２】
2015175221.tif 000004
【図３】
2015175221.tif 000005
【図４】
2015175221.tif 000006
【図５】
2015175221.tif 000007